(57)【特許請求の範囲】
【請求項１】
シートを展張した温室の側面，妻面，屋根面又は温室内のカーテン面に対して回転しながら上下又は水平方向移動自在に配設されたシートの巻き取り用シャフトと、このシャフトの端部に結合したシャフトの回転駆動装置と、この回転駆動装置を上下又は水平方向に案内するガイド支柱とを備えたシートの巻き取り，巻き戻し装置において、回転駆動装置がハウジングと、ハウジングに設けられて上記シャフトと結合する回転駆動軸と、回転駆動軸に取り付けられて上記支柱に上下又は水平方向移動自在に当接する駆動輪と、ハウジングに設けられて上記駆動輪と反対側で上記支柱に上下又は水平方向移動自在に当接するガイド部材とで構成されていることを特徴とするシートの巻き取り，巻き戻し装置。
【請求項２】
ガイド部材が従動輪又はハウジング自体に形成したガイド面で構成されている請求項１のシートの巻き取り，巻き戻し装置。
【請求項３】
一つの駆動輪に対して一つ又は複数の従動輪が配設されている請求項１又は２のシートの巻き取り，巻き戻し装置。
【請求項４】
上下二つの駆動輪に対して一つ又は複数の従動輪が配設されている請求項１又は２のシートの巻き取り，巻き戻し装置。
【請求項５】
駆動輪又は従動輪又はこれら両方が支柱方向に弾性的に付勢されている請求項１，２，３，又は４のシートの巻き取り，巻き戻し装置。
【請求項６】
駆動輪と駆動軸がハウジングに水平方向に二つ配設され、各駆動軸にシートの巻き取り用シャフトがそれぞれ結合されている請求項１，２，３，４又は５のシートの巻き取り，巻き戻し装置。
【請求項７】
駆動軸が手動ハンドル又は電動モータで回転駆動される請求項１，２，３，４，５又は６のシートの巻き取り，巻き戻し装置。
【請求項８】
温室の換気装置又はカーテン構造として利用される請求項１，２，３，４，５，６又は７のシートの巻き取り，巻き戻し装置。
【発明の詳細な説明】
【０００１】
【発明が属する技術分野】
本発明は、透明又は半透明なビニール等のシートを展張した温室たるビニールハウスにおいて、ビニールハウスの側面，妻面又は屋根面のシートの一部を巻き取り、又は巻き戻すことによりビニールハウス内の換気を行なう換気装置又はビニールハウス内に水平又はほぼ水平に配設したカーテン面のシートの一部を巻き取り、又は巻き戻すことによりビニールハウス内の室温調整，遮光を行なうカーテン構造の使用に適するシートの巻き取り，巻き戻し装置に関する。
【０００２】
【従来の技術】
一般にアーチ状のパイプを多数起立し、この各パイプ上に展張したシートをシート定着部材を介して固定したパイプハウス、ビニールハウスと称する温室は育成する植物に適応した室温にするる必要があり、この為に温室の屋根面，側面又は妻面にシートを巻き取り又は巻き戻して換気を行なう換気装置が設けられている。この換気装置としては、例えば、図２１に示すものが開発されている。
【０００３】
即ち、シートを展張したパイプハウスＡの側面に換気装置Ｂが上下移動自在に配設され、この換気装置Ｂはシート１の巻き取り及び巻き戻し用の水平なパイプシャフト２と、パイプシャフト２の回転駆動装置３と、回転駆動装置３を上下方向に案内するる垂直なガイド支柱４とを備えている。
【０００４】
又、回転駆動装置３はハウジング５と、ハウジング５に取り付けられて上記パイプシャフト２とハンドル６に結合された回転軸と、ハウジング５に縦方向に形成したガイド孔と、ハウジング５内に於てガイド支柱４に上下移動自在に当接する上下，左右四つのガイドローラ７と、ハウジング５の側部に一体に設けた把手８とで構成されている。
【０００５】
上記換気装置Ｂでは把手８を手で持ちながらハンドル６を一方向に回転するとパイプシャフト２が同時に同一方向に回転してシート１を巻き取るため、パイプハウスＡの側面に換気用の開口Ｃが形成され、逆方向にハンドル６を回動するとシート１が巻き戻されて上記の開口Ｃをシート１がふさぐことになる。
【０００６】
上記のシート１の巻き取り又は巻き戻し操作ではパイプシャフト２が回転しながら上下動するため、このパイプシャフト２の動きに沿って把手８を介してハウジング５を上下方向に連動させ、このハウジング５の上下方向の動きはガイドローラ７を介してガイド支柱４に案内される。
【０００７】
ハウジング５内にはブレーキ機構，ストッパー機構が設けられているため、パイプシャフト２は任意の位置で停止でき、開口Ｃの大きさを自由に調節できる。
【０００８】
【発明が解決しようとする課題】
上記の換気装置Ｂは機能上特に問題がある分けではないが、ときどき次のような不具合があ発生する場合がある。即ち、ハンドル６を手動回動してパイプシャフト２を巻き取るとパイプシャフト２が上昇するため、動きに追従してしかもハウジング５の重量に抗して把手８を介してハウジング５等の回転駆動装置Ｂを引き上げていかなければならず、その操作が非常に面倒である。又、パイプシャフト２がある位置までシート１を巻きながら上昇すると、点線で示すように、このパイプシャフト２の基端側が弯曲する現象が生じ、しかもハウジング５は自己の重みで落下しょうとするため、ハウジング５が矢印Ｐで示すようにガイドローラ７が無い方向に揺動して傾斜する。この為ハウジング５とガイド支柱４との間にかじり現象が生じ、もしくはそれ以上ハウジング５が上昇できなくなり、ひどい場合には逆に下降させることもできなくなる場合もある。又、このような不具合により特にパイプシャフト２を機械的に自動化して駆動する場合に対応できない不具合もある。そこで、パイプシャフト２の上下動とハウジング５の上下動とをほぼ１対１にして連動して上記のようなかじり現象を防止させる手段も工夫されているが構造が複雑であったり、操作性が悪く実用性に乏しいものである。
【０００９】
そこで、本発明の目的は、シートの巻き取り用シャフトの上下方向又は水平方向の動きに連動してほぼ１対１で回転駆動装置も上下方向又は水平方向に移動でき、回転駆動装置とガイド支柱との間にかじり現象が生じず、操作性が良く、構造も簡単で、経済性にすぐれた換気装置又はカーテン構造の使用に適するシートの巻き取り，巻き戻し装置を提供することである。
【００１０】
【課題を解決するための手段】
上記の目的を達成するため、本発明の手段は、シートを展張した温室の側面，妻面，屋根面又は温室内のカーテン面に対して回転しながら上下又は水平方向移動自在に配設されたシートの巻き取り用シャフトと、このシャフトの端部に結合したシャフトの回転駆動装置と、この回転駆動装置を上下方向に案内するガイド支柱とを備えたシートの巻き取り，巻き戻し装置において、回転駆動装置がハウジングと、ハウジングに設けられて上記シャフトと結合する回転駆動軸と、回転駆動軸に取り付けられて上記支柱に上下方向又は水平方向移動自在に当接する駆動輪と、ハウジングに設けられて上記駆動輪と反対側で上記支柱に上下又は水平方向移動自在に当接するガイド部材とで構成されていることを特徴とするものである。
【００１１】
この場合、ガイド部材が従動輪又はハウジング自体に形成したガイド面で構成されているのが好ましい。
【００１２】
同じく、一つの駆動輪に対して一つ又は複数の従動輪が配設されているのが好ましい。
【００１３】
同じく、上下二つの駆動輪に対して一つ又は複数の従動輪が配設されていてもよい。
【００１４】
同じく、駆動輪又は従動輪又はこれら両方が支柱方向に弾性的に付勢されているのが好ましい。
【００１５】
同じく、駆動輪と駆動軸がハウジングに水平方向に二つ配設され、各駆動軸にシートの巻き取り用シャフトがそれぞれ結合されていてもよい。
【００１６】
同じく、駆動軸が手動ハンドル又は電動モータで回転駆動されるとするのが好ましい。
【００１７】
上記手段は、温室の換気装置又はカーテン構造として利用されるとするのが好ましい。
【００１８】
【発明の実施の形態】
以下本発明の実施の形態を図にもとづいて説明する。
【００１９】
図１乃至図９は換気装置として利用された本発明の一実施の形態を示す。この換気装置Ｂ１は図１に示すように、シート１を展張した温室Ａの側面，妻面又は屋根面に対して回転しながら上下移動自在に配設されたシートの巻き取り用シャフト２と、このシャフト２の端部に結合したシャフト２の回転駆動装置１３と、この回転駆動装置１３を上下方向に案内するガイド支柱４とを備えている。
【００２０】
回転駆動装置１３はハウジング１４と、ハウジング１４に設けられて上記シャフト２と結合する回転駆動軸１５と、回転駆動軸１５に取り付けられて上記支柱４に上下移動自在に当接する駆動輪１６と、ハウジング１４に設けられて上記駆動輪１６と反対側で上記支柱４に上下移動自在に当接するガイド部材たる上下二つの従動輪１７，１７とで構成されている。
【００２１】
以下、回転駆動装置１３の構造と作用を詳しく述べる。
【００２２】
ハウジング１４の中空部１４ａ内には電動モータ１８で駆動される駆動ギャ１９と、この駆動ギャ１９と噛合する従動ギャ２０が回転自在に配設され、従動ギャ２０を支持する駆動軸１５の外端はジョイント３０を介してパイプシャフト２に連結されている。駆動軸１５のハウジング１４の側面に近接した位置に駆動輪１６が一体に結合されている。ジョイント３０は両側に駆動軸１５とパイプシャフト２を挿入したソケット２１と、ソケット２１の外部から挿入された止め具たるボルト２２とで構成されているが、図示のものに限定されるものではない。
【００２３】
ハウジング１４の外端にはコ字状のブラケット２３が設けられ、このブラケット２３内には上記駆動輪１６と対向して従動輪１７が回転自在に配設され、この従動輪１７はブラケット２３とハウジング１４に架設された軸２４に回転自在に支持されている。
【００２４】
駆動輪１６と従動輪１７とはガイド支柱４の外周面に回転自在に当接し、駆動輪１６を電動モータ１８で一方向に回転駆動するとこの駆動輪１６はガイド支柱４に沿って回転しながら上下動し、この動きに伴なって従動輪１７もガイド支柱４に沿って上下動し、この時駆動軸１５に結合されたパイプジャフト２もシート１を巻き取り又は巻き戻しながら上下動する。
【００２５】
駆動輪１６と、この駆動輪１６と反対側の従動輪１７は一つづつ設けてもよいが、図１乃至図９の実施の形態では、駆動輪１６が一つ、従動輪１７が上下に二つ設けたものを使用している。
【００２６】
即ち、ハウジング１４の駆動軸１５に一つの駆動輪１６が設けられ、この駆動輪１６と反対側において、ブラケット２３に対して上下二つの従動輪１７，１７が設けられ、ガイド支柱４に対して三点で駆動輪１６と従動輪１７，１７が当接している。
【００２７】
ハウジング１４の上下には電動モータ１８をオン・オフする二つのリミットスイッチ２５，２６が設けられ、他方ガイド支柱４には上記リミットスイッチ２５，２６に対向するストッパ２７，２８が設けられ、回転駆動装置Ｂ１が上下動してそれぞれリミットスイッチ２５，２６が、これらのストッパ２７，２８に当った時電動モータ１８が停止し、この位置で回転駆動装置Ｂ１が停止するようになっている。いいかえれば、上下二つのストッパ２７，２８の範囲でパイプシャフト２がシート１を巻き取り又は巻き戻し、換気用の開口Ｃの大きさを規制している。
【００２８】
但し、開口Ｃの大きさを始動的に規制しない場合にはこれらのリミットスイッチ２５，２６、ストッパ２７，２８は設ける必要がない。
【００２９】
更に、駆動源としては電動モータ１８に代えて図２１に示すような手動によるハンドル６を使用してもよい。
【００３０】
次に、使用状態の作動について述べる。
【００３１】
図１に示すように、電動モータ１８を作動して、例えば、駆動軸１５、駆動輪１６を時計方向に回動すると、駆動輪１６と一体にパイプシャフト２が同一方向に回動してシート１を巻き上げる。この際、駆動輪１６はパイプシャフト２の外面に喰い付こうとする力が働き、しかも従動輪１７との間の挾持力とフリクションも発生するから、これらの喰い付き力と，挾持力と，フリクションとによって回転しながらガイド支柱４に沿って上方に自走し、同じ従動輪１７，１７もガイド支柱４に沿って上方に自走し、これによりハウジング１４、パイプシャフト２も自動的に上方に移動する。パイプシャフト２はシート１を巻き取りながら上方に移動するため、シート１が巻き取られ分のスペースが開口Ｃとなって換気が行ななわれる。任意の位置で電動モータ１８の駆動を中止するが、又はリミットスイッチ２５がストッパ２７に当ると、その位置で回動駆動装置Ｂ１は停止し、開口Ｃを開いた状態で維持できる。
【００３２】
逆に開口Ｃを閉じる場合には、上記と逆に電動モータ１８を逆転させ、駆動軸１５と駆動輪１６を反時計方向に回動すると、駆動輪１６と従動輪１６は回動しながらガイド支柱４に沿って下降し、同時パイプシャフト２がシート１を巻き戻しながら下降し、パイプシャフト２が下降した分開口Ｃが閉じる。
【００３３】
上記の作動中、駆動輪１６はガイド支柱４を上下方向に自走し、しかもこの駆動輪１６と連動してほぼ１対１の割合でパイプシャフト２も上下動するため、駆動輪１６とパイプシャフト２は常に水平もしくはほぼ水平状態が維持され、ハウジング１４は図１、図２に示す矢印Ｐには揺動せず、従ってガイド支柱４に対する駆動輪１６と従動輪１７，１７のかじり現象が発生せず、回転駆動装置Ｂ１全体がスムースに上下動する。
【００３４】
更に、電動モータ１８に代えて図２１に示す従来のハンドル６を使用して手動で回転駆動する場合においても、ハウジング１４は駆動輪１６によって自動的に上下方向に移動するため、駆動輪１６に追従して手動でハウジング１４を上下方向に移動させる必要がなく、操作性が向上する。
【００３５】
次に、駆動輪１６と従動輪１７，１７の作動について図５乃至図７にもとづいて説明する。
【００３６】
静止状態又はハウジング１４が水平状態を保っている場合には、図５に示すように、駆動輪１６と二つの従動輪１７，１７はガイドパイプ４に対して三点位置で当接している。他方、図６に示すように、駆動輪１６を反時計方向に回動してシート１を巻き戻す下降作動の時、ハウジング１４が矢印Ｒ１の方向に若干揺動する場合があるが、この場合は駆動輪１６と上方の従動輪１７がガイドパイプ４に当接して二点で支持されながら下降し、しかも上方の従動輪１７はスムースに時計方向に回動するため、ハウジング１４はかじり現象を生じることなくスムースに下降する。同様に図７に示すように、駆動輪１６を時計方向に回動してシート１を巻き上げる上昇作動においては、ハウジング１４が矢印Ｒ２で示す方向に若干揺動する場合があるが、この場合には駆動輪１６と下方の従動輪１７がカイド支柱４に対して二点で当り、従動輪１７が反時計方向に回動するため、ハウジング１４はかじり現象を生じることなくスムースに上昇する。
【００３７】
図８は換気装置Ｂ１をビニールハウスＡの側面に配設した状態を示す。この場合にはビニールハウスＡの開口Ｃに対応する位置にガイド支柱４を起立し、このガイド支柱４にハウジング１４を上下移動自在に取り付け、開口Ｃの巾分だけでパイプシャフト２を上下方向に回動させながら移動するものである。
【００３８】
駆動輪１６を回動するため、ハンドル６を使用しているが、図１のように電動モータ１８を利用してもよい。
【００３９】
同じく、図９は換気装置Ｂ１をビニールハウスＡの側面から屋根面に亘って配設した状態を示す。この場合にはビニールハウスＡの妻面側にアーチ形の骨組に沿ってアーチ状のガイド支柱４を起立し、このアーチ状のガイド支柱４に沿ってハウジング１４とパイプシャフト２を移動させ、側面側から屋根側に沿ってシート１を巻き取り又は巻き戻すようにしたものである。駆動源はハンドル６による手動でもよく、電動モータ１８を利用してもよい。
【００４０】
図１０は、本発明の他の実施の形態に係り、これは駆動輪１６，１６を二つ設け、従動輪１７を一つ配設することによりガイド支柱４に三点支持したものである。この場合には従動輪１７は常にガイド支柱４に当接し、駆動輪１６，１６は両方又はどちらか一方が必ずガイド支柱４に当接するからハウジング１４が水平もしくは矢印Ｒ３で示すようにどちらかに揺動してもかじり現象を生じることなくスムースにハウジング１４を上下方向に移走できる。
【００４１】
図１１は本発明の他の実施の形態に係り、これは駆動輪１６を一つ設け、ガイド部材としてハウジング１４の内周をガイド面３１として利用している。この場合は駆動輪１６を回転自在にガイド支柱４に当接し、又ガイド面３１をガイド支柱４に移動自在に摺接させている。この場合にも駆動輪１６はガイド支柱４を自走し、パイプシャフト２と連動して上下動するからハウジング１４にかじり現象は生じない。又、仮に矢印Ｒ４の方向にハウジング１４が揺動しても、ガイド面３１の上下端にテーパ面３１ａを形成することで、やはり上下動の際、かじり現象の発生が防止される。
【００４２】
図１２は本発明の他の実施の形態に係り、これは駆動輪１６が一つ設けられ、同じく従動輪１７が一つ設けられたものであり、ガイド支柱４に対して二点支持している。この場合にも駆動輪１６がガイド支柱４を自走し、パイプシャフト２と連動して上下動するから、ハウジング１４のかじり現象は防止できる。
【００４３】
図１３は本発明の他の実施の形態に係り、これは二つの駆動輪１６，１６に対して反対側に二つの従動輪１７，１７を配設し、ガイド支柱４を四点支持したものである。作用，効果は、上記の図１の場合と同じである。
【００４４】
同じく、図１４は本発明の他の実施の形態に係り、駆動軸１５に設けたギャで上下二つの駆動輪１６，１６を回転駆動し、反対側に二つの従動輪１７，１７を設け、ガイド支柱４を四点支持したものである。この場合、シート１を巻き取るパイプシヤフト２は駆動軸１５もしくは駆動輪１６，１６の一方の軸に一体に結合する。その他の作用，効果は、上記図１の場合と同じである。
【００４５】
図１５，図１６，図１７はそれぞれ本発明の他の実施の形態に係り、これらは駆動輪１６又は従動輪１７にスプリング１４を設けてガイド支柱４に対する支持を強くし、又、ハウジング１４が矢印Ｒ４方向に揺動した時の逃げを図るようにしたものである。
【００４６】
即ち、図１５の場合は、従動輪１７の軸２４にスプリングＳ１を水平に取り付け、このスプリングＳ１で従動輪１７をガイド支柱４方向に付勢している。この場合には、スプリングＳ１によってガイド支柱４に対する駆動輪１６，１６と従動輪１７との挾持力を強化し、逆にハウジング１４が矢印Ｒ４方向に揺動した時従動輪１７がスプリングＳ１に抗して若干後退でき、これによりかじり現象を生じることなく、スムースにハウジング１４を上下方向に移送できる。同じく、図１６の場合は従動輪１７をラケット３３を介して揺動自在に配設し、スプリングＳ２で斜め方向からガイド支柱４方向に付勢したものである。
【００４７】
更に、図１７は二つの従動輪１７，１７を揺動自在なブラケット３４を介して連動させると共に、このブラケット３４にスプリングＳ２，Ｓ２を取り付けて各従動輪１７，１７もガイド支柱４方向に付勢したものである。作用，効果は上記の場合と同じである。
【００４８】
図１８，図１９は本発明の他の実施の形態を示す。これは連棟式パイプハウスたるビニールハウスＡの谷部に換気装置Ｂ１を配設した例を示すものである。
【００４９】
ビニールハウスＡの谷部Ａ１の両側に開口Ｃ，Ｃが形成されており、各開口Ｃ，Ｃに対応するシート１を巻き取り又は巻き戻して室内の換気を行なう。谷部Ａ１に対向する位置にガイド支柱４を起立し、このガイド支柱４に駆動輪１６と従動輪１７とを介してハウジング１４を上下動自在に自走させる。ハウジング１４には水平方向に二つの駆動輪１６，１６に対向して二つの従動輪１７，１７を設け、ハウジング１４の中央を貫通するガイド支柱４を両サイドから上記二つの駆動輪１６，１６と、二つの従動輪１７，１７とで教示し、更に、各駆動輪１６，１６の駆動軸１５，１５には、図１の場合と同じようにユニバーサルジョイント３５，３５を介してパイプシャフト２が連結されている。
【００５０】
駆動輪１６，１６は電動モータ１８とギャ機構を介して連動して反対方向に回転駆動され、パイプシャフト２，２をそれぞれ反対方向に同時に回転することにより各開口Ｃに対応するシート１を巻き取り又は巻き戻す。ガイド支柱４に対して各駆動輪１６，１６が回転自在に当接して自走し、各駆動輪１６，１６と連動してパイプシャフト２も上下動するから、ハウジング１４は水平状態のまま上下動でき、かじり現象の発生を防止できる。その他の作用，効果は、図１の場合と同じである。
【００５１】
図２０は本発明の他の実施の形態に係り、これはビニールハウスＡ内のカーテン面のカーテン構造Ｘに利用した状態を示す。これはカーテン面に配設したガイド支柱４に対して上記と同じ回転駆動装置Ｂを水平方向又はほぼ水平方向移動自在に配設してシートを巻き取り又は巻き戻すことにより温室内の温度調整，遮光等を行なうようにしている。作用は上記の各実施の形態と同じである。
【００５２】
【発明の効果】
本発明によれば、次の効果がある。
【００５３】
▲１▼各請求項の発明によれば、駆動輪と従動輪がガイド支柱に回転自在に当接しているから、駆動輪の回転に伴なって当該駆動輪がガイド支柱を上下方向又は水平に自走し、しかもこの駆動輪の自走に連動してハウジングと駆動軸と従動輪とパイプシャフトが同時に且つ同一スピードで同一方向に自動的に移動するため回転駆動装置を手動で上下動操作する必要がなく、シートの巻き取り，巻き戻しの操作性が向上、特に自動化した場合の信頼性が高くなる。
【００５４】
▲２▼同じく、パイプシャフトの上下又は水平方向の動きに連動してハウジングもほぼ同一ピッチで上下又は水平方向に移動するため、ハウジングの傾きによるガイド支柱に対するかじり現象が防止され、これによりハウジングがスムースに上下動できる。
【００５５】
▲３▼同じく、ハウジングが移動するとき、このハウジングが駆動ローラ側又は従動ローラ側に揺動しても駆動輪と従動輪が回転しているため、これらの駆動輪と従動輪との間ではかじり現象が発生せず、ハウジングがスムースに移動する。
【００５６】
▲４▼同じく、パイプシャフトとハウジングとを連動させる手段は駆動輪のみで良く、他の手段を必要としないから構造が簡単で加工性，組付性，経済性にすぐれている。
【図面の簡単な説明】
【図１】本発明の一実施の形態に係るシートの巻き取り，巻き戻し装置をビニールハウスの側面に配設換気装置に利用した状態の一部切欠き斜視図である。
【図２】図１の回転駆動装置の分解斜視図である。
【図３】図１の回転駆動装置の一部切欠き正面図である。
【図４】図１の回転駆動装置の一部横断拡大平面図である。
【図５】ハウジングが水平状態である時の駆動輪と従動輪の位置を示す略示断面図である。
【図６】ハウジングの下降時における駆動輪と従動輪の位置を示す略示断面図である。
【図７】ハウジングの上昇時における駆動輪と従動輪の位置を示す略示断面図である。
【図８】ビニールハウスの側面部に配設した換気装置に利用した状態の略示斜視図である。
【図９】ビニールハウスの側面と屋根面に沿って配設換気装置に利用した状態の略示斜視図である。
【図１０】駆動輪を二つ、従動輪を一つ設けた状態の他の実施の形態に係る略示断面図である。
【図１１】駆動輪を一つ設け、ガイド部材としてハウジングにガイド面を設けた他の実施の形態に係る略示断面図である。
【図１２】駆動輪と従動輪とを一つ一つ設けた他の実施の形態に係る略示断面図である。
【図１３】駆動輪を四つ、従動輪を四つ設けた他の実施の形態に係る略示断面図である。
【図１４】駆動輪を四つ、従動輪を四つ設け、駆動輪をギャで駆動する他の実施の形態に係る略示断面図である。
【図１５】駆動輪を２つ設け、一つの従動輪にスプリングを取り付けた他の実施の形態に係る略示断面図である。
【図１６】同じく、駆動輪を二つ設け、一つの従動輪に斜め方向からスプリングを取り付けた他の実施の形態に係る略示断面図である。
【図１７】二つの駆動輪を連動させ、各駆動輪にスプリングを取り付けた他の実施の形態に係る略示断面図である。
【図１８】連棟パイプハウスの谷部に設けた換気装置に利用した状態の他の実施の形態に係る略示斜視図である。
【図１９】図１８の正面図である。
【図２０】温室内に配設したカーテン構造に利用した状態の略示正面図である
【図２１】従来の換気装置の略示斜視図である。
【符号の説明】
１  シート
２  シャフト
４  ガイド支柱
１３  回転駆動装置
１４  ハウジング
１５  回転駆動軸
１６  駆動輪
１７  従動輪
３１  ガイド面
【図１】
0003794595.tif 000002
【図２】
0003794595.tif 000003
【図３】
0003794595.tif 000004
【図４】
0003794595.tif 000005
【図５】
0003794595.tif 000006
【図６】
0003794595.tif 000007
【図７】
0003794595.tif 000008
【図８】
0003794595.tif 000009
【図９】
0003794595.tif 000010
【図１０】
0003794595.tif 000011
【図１１】
0003794595.tif 000012
【図１２】
0003794595.tif 000013
【図１３】
0003794595.tif 000014
【図１４】
0003794595.tif 000015
【図１５】
0003794595.tif 000016
【図１６】
0003794595.tif 000017
【図１７】
0003794595.tif 000018
【図１８】
0003794595.tif 000019
【図１９】
0003794595.tif 000020
【図２０】
0003794595.tif 000021
【図２１】
0003794595.tif 000022